(57)【要約】【課題】ハウリング発生時に増幅処理とハウリング抑圧処理とがゲイン処理競合を起こすことなくハウリングを抑圧することが可能な補聴装置を提供する。【解決手段】補聴装置は、入力信号を分析してハウリングが発生している周波数帯域であるハウリング発生帯域の検出を行うハウリング検出部１０５と、ハウリング検出部１０５によって検出されたハウリング発生帯域の増幅量を制限した状態で、入力信号を信号レベルの大きさに応じて増幅する増幅処理部１０４とを備える。【選択図】図１
2010178224.tif 000002
【特許請求の範囲】
【請求項１】
入力信号を分析してハウリングが発生している周波数帯域であるハウリング発生帯域の検出を行うハウリング検出部と、
前記ハウリング検出部によって検出された前記ハウリング発生帯域の増幅量を制限した状態で、前記入力信号を信号レベルの大きさに応じて増幅する増幅処理部とを備える
補聴装置。
【請求項２】
前記増幅処理部は、
前記入力信号を複数の帯域信号に分割する帯域分割部と、
前記帯域分割部から出力される前記複数の帯域信号のレベルを算出するレベル算出部と、
前記レベル算出部から出力される前記複数の帯域信号のレベルの大きさに応じたゲインを算出するゲイン算出部と、
前記帯域分割部から出力される前記複数の帯域信号に対し、前記ゲイン算出部で算出されたゲインでゲイン制御するゲイン制御部と、
前記ゲイン制御部から出力されるゲイン制御後の複数の帯域信号を合成する帯域合成部とを備える
請求項１に記載の補聴装置。
【請求項３】
前記ハウリング検出部は、前記レベル算出部から取得した前記複数の帯域信号のうちの少なくとも１つの帯域信号について、所定の時間内に算出された全ての信号レベルが予め定めた閾値を超えた場合にハウリングが発生したと判定するハウリング判定部を備える
請求項２に記載の補聴装置。
【請求項４】
前記ハウリング検出部は、
前記レベル算出部から出力される前記複数の帯域信号の信号レベルの平均である平均レベルを算出する平均レベル算出部と、
前記レベル算出部から出力される前記複数の帯域信号の信号レベルと前記平均レベル算出部で算出された平均レベルとの比であるレベル比を算出するレベル比算出部と、
前記複数の帯域信号のうちの少なくとも１つの帯域信号について、所定の時間内に算出された全ての前記レベル比が予め定めた閾値を超えた場合にハウリングが発生したと判定するハウリング判定部とを備える
請求項２に記載の補聴装置。
【請求項５】
前記ゲイン算出部は、前記ハウリング検出部でハウリングが検出された時点における当該ハウリング帯域のゲインをゲイン上限値に設定し、当該ハウリング帯域のゲインが前記ゲイン上限値未満となるように制御する
請求項１に記載の補聴装置。
【請求項６】
前記ゲイン算出部は、前記ハウリング検出部でハウリングが検出された時点における当該ハウリング帯域のゲインをゲイン上限値に設定し、当該ハウリング帯域のゲインを前記ゲイン上限値に固定する
請求項１に記載の補聴装置。
【請求項７】
前記ゲイン算出部は、前記ハウリング検出部でハウリングが検出された時点における当該ハウリング帯域のゲインに対し所定の値を減算あるいは乗算して前記ゲイン上限値に設定する
請求項５又は６に記載の補聴装置。
【請求項８】
前記ゲイン算出部は、前記ハウリング検出部で一定時間ハウリングが発生していないと判定された場合に、ハウリング発生帯域における増幅量の制限を解除する
請求項１〜７のいずれか１項に記載の補聴装置。
【請求項９】
該補聴装置は、さらに、入力信号に含まれるハウリングの抑圧を行うハウリング抑圧部を備え、
前記ハウリング検出部は、前記ハウリング抑圧部の出力信号から前記ハウリング発生帯域の検出を行い、
前記増幅処理部は、前記ハウリング抑圧部の出力信号を信号レベルの大きさに応じて増幅する
請求項１〜８のいずれか１項に記載の補聴装置。
【発明の詳細な説明】
【技術分野】
【０００１】
本発明は、補聴装置に関し、詳しくはレシーバとマイクロホンとの間の音響結合により発生するハウリングを抑圧する補聴装置に関するものである。
【背景技術】
【０００２】
難聴者の聴力補償機器の一つとして、補聴装置が用いられている。補聴装置は音を増幅して聞かせることが基幹機能であるため、増幅処理を備えている。一方、補聴装置ではレシーバから出力された音がマイクロホンに回り込んで入力されることにより、音響的なフィードバックループが形成されハウリングが発生する場合があり、一般的にハウリング抑圧処理を併用している。
【０００３】
従来、補聴装置の増幅処理として、複数の帯域毎に入力信号のレベルの大きさに応じてゲインを制御するものが知られている。また、補聴装置のハウリング抑圧処理として、ノッチフィルタを用いてハウリング発生帯域のゲインを局所的に低減することでハウリングを抑圧するものが知られている（例えば、非特許文献１参照）。
【０００４】
図５は、非特許文献１に記載された従来の補聴装置のブロック図である。図５に示されるように、従来の補聴装置は、信号が入力される入力端子５０１、入力信号に含まれるハウリング成分の抑圧を行うハウリング抑圧部５０２、入力信号のレベルの大きさに応じて複数の帯域毎にゲインを制御する増幅処理部５０３、及びゲイン制御された信号が出力される出力端子５０４を備える。
【０００５】
次に、非特許文献１に記載された従来の補聴装置の動作について説明する。ここで、基幹機能である増幅処理を確実に効かせるため、ハウリング抑圧部５０２は増幅処理部５０３の前に前置するものとする。
【０００６】
入力端子５０１には、図示していないマイクロホンからの信号が入力されるようになっている。ハウリング抑圧部５０２では、ハウリングの検出および抑圧を行う。増幅処理部５０３では、複数の帯域毎に入力信号のレベルの大きさに応じてゲインを制御する。
【０００７】
具体的には、難聴では聴力のダイナミックレンジが狭くなり小さな音が聞こえにくくなるため、難聴の度合いに合わせて複数の帯域でそれぞれ、例えば図６に示す入出力特性の太線のように小さな音に対しては大きく、また大きな音に対しては小さく増幅させるようゲインを制御する。
【０００８】
以上のように、非特許文献１に記載されている従来の補聴装置では、入力信号に含まれるハウリング成分を抑圧するとともに、複数の帯域毎に入力信号のレベルの大きさに応じてゲインを制御することが可能である。
【非特許文献１】Harvey Dillon原著、中川雅文監訳、「補聴器ハンドブック」、医歯薬出版株式会社、２００４年、ｐ．１５５〜１６５、ｐ．１９５
【発明の開示】
【発明が解決しようとする課題】
【０００９】
しかしながら、従来の補聴装置のように単に増幅処理とハウリング抑圧処理とを組み合わせただけでは、ハウリング発生時に前段のハウリング抑圧部でハウリング発生帯域のゲインを低減したにもかかわらず、後段の増幅処理部では入力レベルの小さいハウリング周波数帯域のゲインを大きく増幅するというゲイン処理競合が発生する。この結果、ハウリングを抑圧できなかったり、違う周波数のハウリングが発生する場合があるという問題があった。
【００１０】
本発明は、従来の課題を解決するためになされたもので、ハウリング発生時に増幅処理とハウリング抑圧処理とがゲイン処理競合を起こすことなくハウリングを抑圧することが可能な補聴装置を提供することを目的とする。
【課題を解決するための手段】
【００１１】
本発明に係る補聴装置は、入力信号を分析してハウリングが発生している周波数帯域であるハウリング発生帯域の検出を行うハウリング検出部と、前記ハウリング検出部によって検出された前記ハウリング発生帯域の増幅量を制限した状態で、前記入力信号を信号レベルの大きさに応じて増幅する増幅処理部とを備える。本構成により、本発明の補聴装置は、ハウリング検出部でハウリングを検出した場合に、増幅処理部のハウリング発生帯域におけるゲインに拘束をかけることで、ハウリング発生時に増幅処理とハウリング抑圧処理とがゲイン処理競合を起こすことなくハウリングを抑圧することが可能となる。なお、前記には明示していない「ハウリング抑圧処理」は、増幅処理の前に前置してもよいし、増幅処理の後ろに後置してもよい。
【００１２】
また、前記増幅処理部は、前記入力信号を複数の帯域信号に分割する帯域分割部と、前記帯域分割部から出力される前記複数の帯域信号のレベルを算出するレベル算出部と、前記レベル算出部から出力される前記複数の帯域信号のレベルの大きさに応じたゲインを算出するゲイン算出部と、前記帯域分割部から出力される前記複数の帯域信号に対し、前記ゲイン算出部で算出されたゲインでゲイン制御するゲイン制御部と、前記ゲイン制御部から出力されるゲイン制御後の複数の帯域信号を合成する帯域合成部とを備えてもよい。本構成により、本発明の補聴装置は、帯域分割部から出力される複数の帯域信号のレベルの大きさに応じて複数の帯域毎にゲインを制御することができ、ハウリング検出部でハウリングを検出した場合に、ハウリング発生帯域におけるゲインに拘束をかけることが可能となる。
【００１３】
また、前記ハウリング検出部は、前記レベル算出部から取得した前記複数の帯域信号のうちの少なくとも１つの帯域信号について、所定の時間内に算出された全ての信号レベルが予め定めた閾値を超えた場合にハウリングが発生したと判定するハウリング判定部を備えてもよい。本構成により、本発明の補聴装置は、どの帯域でハウリングが発生したか検出することができ、ハウリング検出部でハウリングを検出した場合に、ハウリング発生帯域におけるゲインに拘束をかけることが可能となる。
【００１４】
また、前記ハウリング検出部は、前記レベル算出部から出力される前記複数の帯域信号の信号レベルの平均である平均レベルを算出する平均レベル算出部と、前記レベル算出部から出力される前記複数の帯域信号の信号レベルと前記平均レベル算出部で算出された平均レベルとの比であるレベル比を算出するレベル比算出部と、前記複数の帯域信号のうちの少なくとも１つの帯域信号について、所定の時間内に算出された全ての前記レベル比が予め定めた閾値を超えた場合にハウリングが発生したと判定するハウリング判定部とを備えてもよい。本構成により、本発明の補聴装置は、どの帯域でハウリングが発生したか検出することができ、ハウリング検出部でハウリングを検出した場合に、ハウリング発生帯域におけるゲインに拘束をかけることが可能となる。
【００１５】
また、前記ゲイン算出部は、前記ハウリング検出部でハウリングが検出された時点における当該ハウリング帯域のゲインをゲイン上限値に設定し、当該ハウリング帯域のゲインが前記ゲイン上限値未満となるように制御してもよい。本構成により、本発明の補聴装置は、ハウリング発生時における増幅処理とハウリング抑圧処理とのゲイン処理競合を防止することが可能となる。
【００１６】
また、前記ゲイン算出部は、前記ハウリング検出部でハウリングが検出された時点における当該ハウリング帯域のゲインをゲイン上限値に設定し、当該ハウリング帯域のゲインを前記ゲイン上限値に固定してもよい。本構成により、本発明の補聴装置は、ハウリング発生時における増幅処理とハウリング抑圧処理とのゲイン処理競合を防止することが可能となる。
【００１７】
また、前記ゲイン算出部は、前記ハウリング検出部でハウリングが検出された時点における当該ハウリング帯域のゲインに対し所定の値を減算あるいは乗算して前記ゲイン上限値に設定してもよい。本構成により、本発明の補聴装置は、より安定してハウリングを抑圧することが可能となる。
【００１８】
また、前記ゲイン算出部は、前記ハウリング検出部で一定時間ハウリングが発生していないと判定された場合に、ハウリング発生帯域における増幅量の制限を解除してもよい。本構成により、本発明の補聴装置は、ハウリングが発生しなくなった状況下におけるハウリング発生帯域の不要なゲイン拘束を軽減することが可能となる。
【００１９】
また、該補聴装置は、さらに、入力信号に含まれるハウリングの抑圧を行うハウリング抑圧部を備える。そして、前記ハウリング検出部は、前記ハウリング抑圧部の出力信号から前記ハウリング発生帯域の検出を行い、前記増幅処理部は、前記ハウリング抑圧部の出力信号を信号レベルの大きさに応じて増幅してもよい。本構成のように、ハウリング抑圧部を増幅処理部の前に配置することにより、基幹機能である増幅処理の効果をさらに高めることができる。
【発明の効果】
【００２０】
以上説明したように、本発明によれば、ハウリング発生時に増幅処理とハウリング抑圧処理とがゲイン処理競合を起こすことなくハウリングを抑圧することが可能な補聴装置を提供することができる。
【発明を実施するための最良の形態】
【００２１】
以下、本発明の実施の形態について、図面を参照しながら説明する。
【００２２】
（実施の形態１）
図１は、本発明の実施の形態１に係る補聴装置のブロック図である。
【００２３】
図１において、本実施の形態１に係る補聴装置は、図示していないマイクロホンから信号が入力される入力端子１０１と、入力端子１０１に入力された信号をアナログ信号からディジタル信号へＡ／Ｄ変換するＡ／Ｄコンバータ１０２と、後述するハウリング検出部１０５のハウリング検出結果に基づいてハウリングの抑圧を行うハウリング抑圧部１０３と、ハウリング抑圧部１０３の出力信号のレベルの大きさに応じて複数の帯域毎にゲインを制御する増幅処理部１０４と、ハウリング抑圧部１０３の出力信号を分析してハウリングの発生を検出するハウリング検出部１０５と、増幅処理部１０４から出力された信号をディジタル信号からアナログ信号にＤ／Ａ変換するＤ／Ａコンバータ１０６と、Ｄ／Ａコンバータ１０６から出力された信号を図示していないアンプ等へ出力する出力端子１０７とを備えている。
【００２４】
また、増幅処理部１０４は、ハウリング抑圧部１０３の出力信号を複数の帯域信号に分割する帯域分割部１０８と、帯域分割部１０８から出力される複数の帯域信号の信号レベルを算出するレベル算出部１０９と、レベル算出部１０９から出力される複数の帯域信号の信号レベルの大きさに応じたゲインを算出するゲイン算出部１１０と、帯域分割部１０８から出力される複数の帯域信号に対し、ゲイン算出部１１０で算出されたゲインでゲイン制御するゲイン制御部１１１と、ゲイン制御部１１１から出力されるゲイン制御後の複数の帯域信号を合成する帯域合成部１１２とを備えている。
【００２５】
また、ハウリング検出部１０５は、図２に示すように、レベル算出部１０９で算出された複数の帯域信号の信号レベルが入力される入力端子２０１と、入力端子２０１に入力された複数の帯域信号の信号レベルを用いてハウリングが発生したか否かを判定すると共に、ハウリングが発生している周波数帯域であるハウリング発生帯域を検出するハウリング判定部２０２と、ハウリング判定部２０２の判定結果を出力する出力端子２０３とを備えている。
【００２６】
次に、本実施の形態１に係る補聴装置の動作について説明する。ここで、基幹機能である増幅処理を確実に効かせるため、ハウリング抑圧部１０３は増幅処理部１０４の前に前置するものとする。
【００２７】
まず、本実施の形態１に係る補聴装置全体の動作について説明する。
図示していないマイクロホンから入力端子１０１へ入力された信号は、Ａ／Ｄコンバータ１０２によりアナログ信号からディジタル信号に変換された後、ハウリング抑圧部１０３に入力される。
【００２８】
ハウリング抑圧部１０３では、Ａ／Ｄコンバータ１０２から入力された信号に含まれるハウリング成分の抑圧を行い、ハウリングを抑圧した信号は増幅処理部１０４に入力される。ここで、ハウリング抑圧の方法としては、固定ノッチフィルタ、適応ノッチフィルタ、イコライザ等、ハウリング周波数のゲインを局所的に低減するもの、あるいは適応フィルタを用いてレシーバからマイクロホンに回り込む音響フィードバック信号を打ち消すもの等、公知の各手法を用いる。
【００２９】
増幅処理部１０４では、ハウリング抑圧部１０３から出力された信号の信号レベルの大きさに応じて複数の帯域毎にゲインを制御する。増幅処理部１０４で増幅された信号は、Ｄ／Ａコンバータ１０６によってディジタル信号からアナログ信号へ変換された後、図示していないアンプ等に接続される出力端子１０７へ出力される。
【００３０】
ハウリング検出部１０５では、増幅処理部１０４に入力された信号を分析してハウリングが発生しているか否か、及びハウリング発生帯域の検出を行う。そして、ハウリングの発生を検出した場合にハウリング抑圧部１０３でハウリング抑圧処理を開始する。
【００３１】
次に、増幅処理部１０４の動作について説明する。
帯域分割部１０８では、ハウリング抑圧部１０３から入力された信号を複数の帯域信号に分割する。ここで、帯域分割の方法としては、高速フーリエ変換や、複数のＦＩＲ（Ｆｉｎｉｔｅ  Ｉｍｐｕｌｓｅ  Ｒｅｓｐｏｎｓｅ）フィルタまたはＩＩＲ（Ｉｎｆｉｎｉｔｅ  Ｉｍｐｕｌｓｅ  Ｒｅｓｐｏｎｓｅ）フィルタから構成されるフィルタバンク等、時間信号を複数の帯域信号に分割する公知の各手法を用いる。
【００３２】
レベル算出部１０９では、帯域分割部１０８から入力された複数の帯域信号の信号レベルを算出する。ゲイン算出部１１０では、複数の帯域毎に予め定めた入出力特性となるようにゲインを算出する。ゲイン制御部１１１では、帯域分割部１０８から出力される複数の帯域信号に対し、各帯域毎にゲイン算出部１１０で算出されたゲインを乗じる。帯域合成部１１２では、ゲイン制御部１１１から入力された複数の帯域信号の合成を行う。ここで、帯域合成の方法としては、逆高速フーリエ変換や、複数の帯域信号の加算等、帯域分割部１０８で用いている帯域分割の方法と対になる手法を用いる。
【００３３】
次に、ハウリング検出部１０５の動作について説明する。ここで、ハウリング検出部１０５では、複数の帯域毎に独立且つ並列にハウリング検出処理を行う。
【００３４】
ハウリング判定部２０２では、複数の帯域信号それぞれについて、入力端子２０１に入力された複数の帯域信号の信号レベルと予め定められた第１の閾値とを比較し、信号レベルが第１の閾値を超えた場合にカウンタ値がインクリメントされる。一方、信号レベルが第１の閾値以下の場合はカウンタ値をリセットする。そして、カウンタ値が予め定められた第２の閾値を超えた場合に、その帯域（ハウリング発生帯域）でハウリングが発生したと判定し、判定結果を出力端子２０３に出力する。
【００３５】
つまり、ハウリング判定部２０２は、複数の帯域信号のうちの少なくとも１つの帯域信号について、第１の閾値を超える信号が第２の閾値以上連続する場合、さらに言い換えれば、所定の時間内（第２の閾値）の全ての信号レベルが第１の閾値を超えた場合にハウリングが発生したと判定する。
【００３６】
図３は、本実施の形態１に係る補聴装置のハウリングの発生状況に応じた制御の流れを示すフローである。
【００３７】
まず、ハウリング検出部１０５は、入力端子２０１に入力された複数の帯域信号を分析して、ハウリングが発生したか否かを判断すると共に、ハウリング発生帯域を検出する（Ｓ３０１）。ハウリングが検出された場合（Ｓ３０１でＹｅｓ）、ゲイン算出部１１０のハウリング発生帯域におけるゲインに拘束をかける（Ｓ３０２）。すなわち、ハウリング発生帯域における信号レベルの増幅量に制限を加える。
【００３８】
ハウリングは突出したレベルで時間的に持続する特徴があるため、ハウリングが発生するとゲイン算出部１１０のハウリング発生帯域のゲインはハウリングの成長ゲインとちょうど釣り合うところまで小さくなった後に時間的にほぼ一定に推移する。そこで、ハウリングが検出されたら、ハウリング発生帯域における時間的にほぼ一定に推移しているハウリング検出時のゲイン値をゲイン上限値として設定する。
【００３９】
そして、ゲイン算出部１１０は、ハウリング発生帯域におけるゲイン値が、上記のゲイン上限値未満となるように制御する。このようにハウリング発生帯域のゲインを拘束したら、ハウリング抑圧部１０３でハウリング抑圧処理を開始する（Ｓ３０３）。
【００４０】
一方、今回の入力信号からはハウリングの発生を検出できなかった場合（Ｓ３０１でＮｏ）、ハウリング判定部２０２は、さらに、現在までの一定時間にハウリングが検出されていないかを判断する（Ｓ３０４）。ハウリングが検出されなかった場合（Ｓ３０４でＹｅｓ）、ハウリングの発生が収まったとみなし、ゲイン算出部１１０に設定したハウリング発生帯域の拘束を解除する（Ｓ３０５）。例えば、ハウリング発生帯域におけるゲイン上限値を少しずつ大きくする等、徐々にリリースしてもよい。
【００４１】
以上のように、本実施の形態１に係る補聴装置は、周波数軸上でハウリングの検出を行い、ハウリングを検出した場合に、ハウリング発生帯域におけるゲインに拘束をかけることで、ハウリング発生時に増幅処理とハウリング抑圧処理とがゲイン処理競合を起こすことなくハウリングを抑圧することが可能となる。
【００４２】
なお、本実施の形態１においては、ゲイン算出部１１０はハウリング検出時にハウリング発生帯域におけるゲインの上限を拘束するものとして説明したが、ゲインが時間的に一定になるよう拘束をかける構成にしてもよい。つまり、ゲイン算出部１１０は、ハウリング発生帯域におけるゲイン値を上記のゲイン上限値に固定してもよい。
【００４３】
また、ゲイン拘束時に予め定めたマージンをもたせてゲイン拘束値を低めに設定する構成にしてもよい。すなわち、上記のゲイン上限値に対し所定の値を減算あるいは乗算（１未満の値）して算出される値をゲイン上限値として、上記の各制御を行ってもよい。
【００４４】
また、本実施の形態１においては、ハウリング抑圧部１０３を増幅処理部１０４の前に前置し、ハウリング抑圧部１０３の出力信号を入力信号として増幅処理部１０４及びハウリング検出部１０５を動作させた例を示したが、これに限ることなく、他の構成を採用してもよい。例えば、ハウリング抑圧部１０３を増幅処理部１０４の後に後置し、増幅処理部１０４で増幅された信号を入力信号としてハウリング抑圧部１０３を動作させるようにしてもよい。または、ハウリング抑圧部１０３と増幅処理部１０４とを並列に動作させる構成にしてもよい。
【００４５】
（実施の形態２）
図４は、本発明の実施の形態２に係る補聴装置におけるハウリング検出部１０５のブロック図である。なお、図４において、図２と同じ構成要素については同じ符号を用い、説明を省略する。
【００４６】
図４において、本実施の形態２に係るハウリング検出部１０５は、レベル算出部１０９から出力される複数の帯域信号の信号レベルの平均である平均レベルを算出する平均レベル算出部４０１と、レベル算出部１０９から出力される複数の帯域信号の信号レベルと平均レベル算出部４０１で算出された平均レベルとの比であるレベル比を算出するレベル比算出部４０２と、レベル比算出部４０２で算出されたレベル比を用いてハウリングが発生したか否かを判定するハウリング判定部４０３とを備えている。
【００４７】
次に、本実施の形態２に係る補聴装置の動作について説明する。
平均レベル算出部４０１では、入力端子２０１に入力された複数の帯域信号の信号レベルの平均である平均レベルを算出する。レベル比算出部４０２では、入力端子２０１に入力された複数の帯域信号の信号レベルと、平均レベル算出部４０１から出力された平均レベルとの比であるレベル比を算出する。ハウリング判定部４０３では、複数の帯域信号それぞれについて、レベル比算出部４０２から出力されたレベル比と予め定められた第１の閾値とを比較し、レベル比が第１の閾値を超えた場合にカウンタ値がインクリメントされる。一方、レベル比が第１の閾値以下の場合はカウンタ値をリセットする。そして、カウンタ値が予め定められた第２の閾値を超えた場合にハウリング発生と判定する。
【００４８】
つまり、ハウリング判定部４０３は、複数の帯域信号のうちの少なくとも１つの帯域信号について、第１の閾値を超えるレベル比が第２の閾値以上連続する場合、さらに言い換えれば、所定の時間内（第２の閾値）の全てのレベル比が第１の閾値を超えた場合にハウリングが発生したと判定する。
【００４９】
以上のように、本実施の形態２に係る補聴装置は、周波数軸上で複数の帯域信号のレベルと平均レベルとのレベル比を分析することで、騒音環境下でも精度良くハウリングを検出することができる。そして、ハウリングを検出した場合に、ハウリング発生帯域におけるゲインに拘束をかけることで、ハウリング発生時に増幅処理とハウリング抑圧処理とがゲイン処理競合を起こすことなくハウリングを抑圧することが可能となる。
【００５０】
（その他変形例）
なお、本発明を前記実施の形態に基づいて説明してきたが、本発明は、前記の実施の形態に限定されないのはもちろんである。以下のような場合も本発明に含まれる。
【００５１】
（１）前記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムにしたがって動作することにより、システムＬＳＩは、その機能を達成する。
【００５２】
（２）前記の各装置を構成する構成要素の一部または全部は、各装置に脱着可能なＩＣ（Ｉｎｔｅｇｒａｔｅｄ  Ｃｉｒｃｕｉｔ）カードまたは単体のモジュールから構成されているとしてもよい。ＩＣカードまたはモジュールは、マイクロプロセッサ、ＲＯＭ、ＲＡＭなどから構成されるコンピュータシステムである。ＩＣカードまたはモジュールは、前記の超多機能ＬＳＩを含むとしてもよい。マイクロプロセッサが、コンピュータプログラムにしたがって動作することにより、ＩＣカードまたはモジュールは、その機能を達成する。このＩＣカードまたはこのモジュールは、耐タンパ性を有するとしてもよい。
【００５３】
（３）本発明は、前記に示す方法であるとしてもよい。また、これらの方法をコンピュータにより実現するコンピュータプログラムであるとしてもよいし、コンピュータプログラムからなるディジタル信号であるとしてもよい。
【００５４】
また、本発明は、コンピュータプログラムまたはディジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されているディジタル信号であるとしてもよい。
【００５５】
また、本発明は、コンピュータプログラムまたはディジタル信号を、電気通信回線、無線または有線通信回線、インターネットを代表とするネットワーク、データ放送等を経由して伝送するものとしてもよい。
【００５６】
また、本発明は、マイクロプロセッサとメモリを備えたコンピュータシステムであって、メモリは、前記コンピュータプログラムを記憶しており、マイクロプロセッサは、コンピュータプログラムにしたがって動作するとしてもよい。
【００５７】
また、プログラムまたはディジタル信号を記録媒体に記録して移送することにより、またはプログラムまたはディジタル信号をネットワーク等を経由して移送することにより、独立した他のコンピュータシステムにより実施するとしてもよい。
【００５８】
（４）前記実施の形態及び前記変形例をそれぞれ組み合わせるとしてもよい。
【産業上の利用可能性】
【００５９】
本発明に係る補聴装置は、周波数軸上でハウリングの検出を行い、ハウリングを検出した場合に、ハウリング発生帯域におけるゲインに拘束をかけることで、ハウリング発生時に増幅処理とハウリング抑圧処理とがゲイン処理競合を起こすことなくハウリングを抑圧することを可能とするという効果を有し、レシーバとマイクロホンとの間の音響結合により発生するハウリングを抑圧する補聴装置等として有用である。
【図面の簡単な説明】
【００６０】
【図１】本発明の第１の実施の形態における補聴装置のブロック図である。
【図２】本発明の第１の実施の形態における補聴装置を構成するハウリング検出部のブロック図である。
【図３】本発明の第１の実施の形態における補聴装置の動作を示すフロー図である。
【図４】本発明の第２の実施の形態におけるハウリング検出部のブロック図である。
【図５】従来の補聴装置のブロック図である。
【図６】従来の補聴装置を構成する増幅処理部における入出力特性例である。
【符号の説明】
【００６１】
１０１、２０１、５０１      入力端子
１０２                      Ａ／Ｄコンバータ
１０３、５０２              ハウリング抑圧部
１０４、５０３              増幅処理部
１０５                      ハウリング検出部
１０６                      Ｄ／Ａコンバータ
１０７、２０３、５０４      出力端子
１０８                      帯域分割部
１０９                      レベル算出部
１１０                      ゲイン算出部
１１１                      ゲイン制御部
１１２                      帯域合成部
２０２、４０３              ハウリング判定部
４０１                      平均レベル算出部
４０２                      レベル比算出部
【図１】
2010178224.tif 000003
【図２】
2010178224.tif 000004
【図３】
2010178224.tif 000005
【図４】
2010178224.tif 000006
【図５】
2010178224.tif 000007
【図６】
2010178224.tif 000008